(57)【要約】【課題】ステープルカートリッジ２の取り外し操作を容易にし、装着した後に確実に所定の位置にロックする。【解決手段】収納部７と上記ステープルカートリッジ２の一方にロックピン１８、他方にロックピン１８に係脱する方向に作動するロックリンク１５を設け、にステープルカートリッジ２の装着時には、ロックリンク１５とロックピン１８とを係合させるとともに、ステープルカートリッジ２には、抜き差し方向に移動可能なノブ１９と、このノブ１９とロックリンク１５とに係合可能なロック解除リンク２２とを回動自在に設け、収納部７に装着された状態において、ノブ１９を抜き出し方向に移動するときにロック解除リンク２２に係合しロックリンク１５を作動させてロックピン１８との係合を解除させる。【選択図】図１
2006026792.tif 000002
【特許請求の範囲】
【請求項１】
ステープルの打ち出し機構を備えたステープラ本体の一側に開口した収納部内にステープルカートリッジを抜き差し移動することによって着脱するステープラにおけるステープルカートリッジの着脱機構において、
上記収納部の内側面と上記ステープルカートリッジの外側面の一方にロックピン、他方にロックピンに係脱する方向に作動するロックリンクを設け、上記収納部に上記ステープルカートリッジが差し込み装着されたときは、ロックリンクとロックピンとを係合させるとともに、
上記ステープルカートリッジには、外部から操作可能でかつ抜き差し方向に移動可能なノブと、このノブと上記ロックリンクとに係合可能なロック解除リンクとを回動自在に設け、上記ステープルカートリッジが上記収納部に装着された状態において、上記ノブを抜き出し方向に移動するときに上記ロック解除リンクに係合して上記ロックリンクを作動させることによりロックピンとの係合を解除させる
ことを特徴とするステープラにおけるステープルカートリッジの着脱機構。
【発明の詳細な説明】
【技術分野】
【０００１】
本発明は、ステープラ本体の収納部にステープルカートリッジを一定の方向に移動させて着脱する着脱機構に関する。
【背景技術】
【０００２】
一般に、電動ステープラは、ステープルの打ち出し機構を備えたステープラ本体の一側に開口した収納部に対してステープルカートリッジを挿し込み移動することによって装着し、ステープルカートリッジ内のステープルをその先端の打ち出し部に供給し、上記打ち出し機構によって打ち出すものである。
【０００３】
ところで、綴り作動が繰り返される途中で、ステープルカートリッジの先端に設けられた打ち出し部にステープルが座屈して詰ってしまうことがあり、この場合は、ステープルカートリッジを収納部から取り出して詰まったステープル（ジャムステープル）を除去する必要がある。
【０００４】
ところで、ステープルカートリッジをステープラ本体の収納部に装着した場合、勝手に抜け出さないようにロックしておき、ロックを解除した後に取り出すことができるように構成されている。このような取り外し機構として、ステープルカートリッジを回動させてロックを解除した後に直進させて取り外す方式、つまりロック解除のための操作方向と抜き出し方向とが異なる方式と、ステープルカートリッジの係止片を収納部に係止させてロックし、ロックの解除と取り外しを抜き差しによって行なう方式、つまりロック解除のための操作方向と抜き出し方向とを同じにする方式（特許文献１参照）とが知られている。
【特許文献１】特開２００２−７９４７５公報
【発明の開示】
【発明が解決しようとする課題】
【０００５】
しかしながら、上述のように、ステープルカートリッジは、一度装着されると、ジャムステープルを除去するために取り外す必要があるまで動かされることはない。ところが、ステープルがいつ詰まるかは予想することができないほか、めったに詰まることはない。このため、作業者は、ステープルカートリッジの取り外し方法を忘れてしまいがちである。したがって、ロック解除の方向と抜き出し方向とが異なる方式では、初めにロック解除のためにステープルカートリッジを回動操作しなければならないが、回動することを忘れてしまうと、ただ抜き出そうと引っ張っただけではロックが解除されないから、ステープルカートリッジを取り外すこともできない。これに対し、ロックの解除操作の方向と抜き出し方向とを同じにする方式では、解除方法を誤ることはないが、その半面、係止片を撓ませてロックさせる方式では、ロックとその解除に大きな力が必要となるため、係止片自体に大きな剛性を与えることはできないから、ステープルカートリッジが軽量で、使い捨てするようなタイプの場合はよいが、重量が大きく、何度も使いまわしするタイプのステープルカートリッジの場合、操作性を重視すると係止片が摩滅したり破損したりしてロック不良が生じるおそれがあり、強度やロック性を重視するとロックとその解除の操作に力を要することになり、特に脚の長いステープルを多数装填したステープルカートリッジには適していなかった。
【０００６】
本発明は上記問題点を解消し、ロック解除のための操作方向と抜き出し方向とを同じにする方式であって、重量のあるステープルカートリッジであっても、その取り外し操作を容易にするとともに、ステープルカートリッジを装着した後に確実に所定の位置にロックすることができるステープラにおけるステープルカートリッジの着脱機構を提供することをその課題とする。
【課題を解決するための手段】
【０００７】
前記課題を解決するため、本発明に係るステープラにおけるステープルカートリッジの着脱機構は、ステープルの打ち出し機構を備えたステープラ本体の一側に開口した収納部内にステープルカートリッジを抜き差し移動することによって着脱するステープラにおけるステープルカートリッジの着脱機構において、上記収納部の内側面と上記ステープルカートリッジの外側面の一方にロックピン、他方にロックピンに係脱する方向に作動するロックリンクを設け、上記収納部に上記ステープルカートリッジが差し込み装着されたときは、ロックリンクとロックピンとを係合させるとともに、上記ステープルカートリッジには、外部から操作可能でかつ抜き差し方向に移動可能なノブと、このノブと上記ロックリンクとに係合可能なロック解除リンクとを回動自在に設け、上記ステープルカートリッジが上記収納部に装着された状態において、上記ノブを抜き出し方向に移動するときに上記ロック解除リンクに係合して上記ロックリンクを作動させることによりロックピンとの係合を解除させることを特徴とする。
【発明の効果】
【０００８】
本発明によれば、ステープルカートリッジが上記収納部に差し込み装着されたときは、ロックリンクとロックピンとが係合するので、ステープルカートリッジを抜き出すことはできない。これに対し、ステープルカートリッジのノブを抜き出し方向に移動操作させると、ノブはロック解除リンクに係合して上記ロックリンクを作動させ、ロックリンクが作動することによりロックピンとの係合が解除するから、ステープルカートリッジはロック解除状態となり、ノブをそのまま抜き出し方向に移動操作すると、ステープルカートリッジを収納部から取り外すことができる。
【０００９】
このように、本発明はロック解除のための操作方向と抜き出し方向とを同じにする方式であるから、ステープルカートリッジの取り外し操作を容易に行なうことができる。また、ステープラ本体の収納部にステープルカートリッジが差し込み装着されたときは、ロックリンクとロックピンとを係合させる構成であるから、ステープルカートリッジを装着後に確実に所定の位置にロックすることができる。
【００１０】
しかも、ロックリンクはロックピンに対し撓みによって係脱するものではなく、回動によって係脱するものであるから、重量が大きいステープルカートリッジであっても、十分に対応することができる。
【実施例１】
【００１１】
図１（ａ）（ｂ）において符号１はステープラ本体、２はステープルカートリッジを示す。ステープラ本体１にはステープルの打ち出し機構が設けられている。打ち出し機構は、公知の機構で、被綴り用紙ａの綴り台１３の下から上方に向かって駆動されるドライバプレートとフォーミングプレート（互いに重ね合わされ、符号３で示す）のほか、このドライバプレートとフォーミングプレートを駆動するための駆動リンク（図示せず）、溝カム４、電動モータ５などから構成されている。ステープラ本体１の上部にはクリンチャ部材６が上下方向に回動可能に設けられている。また、ステープラ本体１の後部（綴り台と反対側）には、ステープルカートリッジ２の収納部７が形成されている。この収納部７は左右両側壁７ａと底部によって構成され、上方と後方は開放され、ステープルカートリッジ２を後方から前方に差し込んで装着し、反対方向に抜き出して取り外すように構成されている。
【００１２】
ステープルカートリッジ２は、図２および図３に示されるように、リフィル８の装着部９と、リフィル８から排出されたステープルのステープルガイド部１０と、ステープルガイド部１０の前端に形成された打ち出し部１１とを備えている。なお、リフィル８は、真直状ステープルを帯状に連結してロール状に巻き回した状態でケース内に装填したもので、リフィル８内のロール状ステープルの先端は上記ステープルガイド部１０に臨んでいる。また、ステープラ本体１に設けられた送り機構によりリフィル８内のロール状ステープルはステープルガイド部１０から打ち出し部１１に向けて送り出されるように構成されている。
【００１３】
なお、先頭のステープルをステープルカートリッジ２の前部まで送り出した後、先頭のステープルはフォーミングプレートによってコ字形に成形され、すでに成形済みのステープルは打ち出し部１１に送り出されてドライバプレートにより打ち出される。以下、順次成形と打ち出しが行なわれる。
【００１４】
上記構成のステープラにおいて、綴り台１３の上に被綴り用紙ａをセットした後、上記ステープラを駆動すると、クリンチャ部材６が下降して綴り台１３とクリンチャ部材６との間に被綴り用紙ａを挟んだ後、ドライバプレートによりステープルが打ち出され、その脚部が被綴り用紙ａを貫通し、クリンチャ部材６によって折り曲げられる。その後、クリンチャ部材６とドライバプレートは元の位置に戻り、綴りが完了する。
【００１５】
次に、上記ステープルカートリッジ２は、図４に示されるように、ステープラ本体１の一側に開口した収納部７内に抜き差し移動することによって着脱されるもので、その着脱機構は次のように構成されている。
【００１６】
上記収納部７の左右両側壁の内側面には、図４のようにＬ字形のロックリンク１５が屈曲部に設けられた支軸１６を中心に回動自在に設けられ、バネ（１７）によりロックリンク１５の前端が常時上方に傾くように付勢されている。なお、図１（ｂ）、図２および図３には、ロックリンク１５を収納部７から抜き出して示している。
【００１７】
これに対し、図５に示されるように、上記ステープルカートリッジ２の外側面にはロックピン１８が突設されている。ロックピン１８は、装着時におけるステープラ本体１のロックリンク１５の前端とほぼ同じ高さ位置に取り付けられている。
【００１８】
次に、上記ステープルカートリッジ２の後部にはノブ１９がステープルカートリッジ２に抜き差し方向に移動可能に設けられている。ノブ１９の下部には前側に高く傾斜する傾斜部２０が形成されている。
【００１９】
また、上記ステープルカートリッジ２の外側面の、上記ロックピン１８の後部にはロック解除リンク２２が中間部の支軸２３を中心に回動自在に設けられている。ロック解除リンク２２の後端部２２ｂの上辺は図５の紙面裏側に屈曲して延び、この屈曲片２２ｃ（図２参照）は上記ノブ１９の傾斜部２０の内側上面に係合しているとともに、ロック解除リンク２２の前端部２２ａは装着時において上記ロックリンク１５の前部の上縁部１４に係合可能に配置されている。
【００２０】
上記構成において、ステープルカートリッジ２をステープラ本体１の収納部７に装着するときは、ノブ１９に手を掛け、図６（ａ）（ｂ）に示されるように、収納部７の後方から前方に差し込み移動させる。このとき、ステープルカートリッジ２のロックピン１８は収納部７のロックリンク１５の前部の上縁部１４に沿って摺動してロックリンク１５をバネ１７に抗して下方に回動させる。そして、所定の移動端まで差し込むことにより、ロックピン１８はロックリンク１５を越えるから、図１（ａ）（ｂ）に示されるように、ロックリンク１５はバネ１７によって上動し、その前端はロックピン１８の後部に係合する。これにより、ステープルカートリッジ２は収納部７に装着され、ロック状態となる。
【００２１】
これに対し、上述のように、綴り作動の途中でステープルが座屈して打ち出し部１１に詰まってしまった場合などのように、ステープルカートリッジ２を取り出さなければならないときには、図７（ａ）（ｂ）に示されるように、ノブ１９に手を掛けて抜き出し方向（後方）に引けばよい。このとき、ステープルカートリッジ２はロックされているから、図８（ａ）（ｂ）に示されるように、ノブ１９はステープルカートリッジ２に対して抜き出し方向に移動するので、傾斜部２０も同方向に移動する際、傾斜部２０の内側傾斜面がロック解除リンク２２の後端部２２ｂの屈曲片２２ｃを押し上げながら移動する。これにより、ロック解除リンク２２はその前端部２２ａが下方に移動するように回動するので、ロック解除リンク２２の前端部２２ａはロックリンク１５の前部上縁部１４を押し下げ、バネ１７に抗して下方に回動させる。このため、ロックリンク１５とロックピン１８との係合が解除されるので、ステープルカートリッジ２は抜き出し方向に移動可能となり、ノブ１９に手を掛けたまま抜き出して取り外すことができる。
【００２２】
上述のように、ロック解除のための操作方向と抜き出し方向とを同じにする方式であるから、ステープルカートリッジ２の取り外し操作を容易に行なうことができる。また、ステープラ本体１の収納部７にステープルカートリッジ２が差し込み装着されたときは、ロックリンク１５とロックピン１８とを係合させる構成であるから、ステープルカートリッジ２を装着後に確実に所定の位置にロックすることができる。
【００２３】
また、ロックリンク１５を作動させる力は、ロックリンク１５を回動させるために要するノブ１９の抜き出し力であり、これはステープルカートリッジ２の重量に関係しない。したがって、上記着脱機構は重量の大きなステープルカートリッジ２においても十分に対応することができる。
【実施例２】
【００２４】
図９は、ステープルカートリッジ２の着脱機構の他の例で、ステープルカートリッジ２の外側面にロックリンク１５が支軸１６を中心に回動自在に取り付け、バネ１７によりロックリンク１５の前端が常時下方に傾くように付勢されている。ロックリンク１５の前端部には係合爪２５が形成されている。また、ロックリンク１５の上部には、実施例１と同じく、ロック解除リンク２２が設けられ、ロック解除リンク２２はノブ１９の抜き差し方向の移動によって支軸２３を中心に回動するように構成されている。
【００２５】
これに対し、上記ステープラ本体の収納部７の内側面にはロックピン１８が突設されている。ロックピン１８は、装着時におけるステープルカートリッジ２のロックリンク１５の係合爪２５とほぼ同じ高さ位置に取り付けられている。
【００２６】
上記構成において、ステープルカートリッジ２をステープラ本体１の収納部７に装着するときは、ノブ１９に手を掛け収納部７の後方から前方に差し込み移動させる。このとき、ステープルカートリッジ２のロックリンク１５の係合爪２５の前端傾斜部がロックピン１８に当り、ロックリンク１５の前端は上方に回動され、ロックピン１８を越えたステープルカートリッジ２の移動端で係合爪２５はロックピン１８に係合する。これにより、ステープルカートリッジ２は収納部７に装着され、ロック状態となる。
【００２７】
これに対し、ステープルカートリッジ２を取り出すときは、ノブ１９に手を掛けて抜き出し方向（後方）に引く。このとき、ステープルカートリッジ２はロックされているから、ノブ１９はステープルカートリッジ２に対して抜き出し方向に移動し、実施例１と同様に、ロック解除リンク２２の後端を押し上げ、その前端が下方に移動するように回動してロックリンク１５の後部上縁を押し下げ、バネ１７に抗して下方に回動させる。このため、ロックリンク１５の係合爪２５とロックピン１８との係合が解除されるので、ステープルカートリッジ２は抜き出し方向に移動可能となり、ノブ１９に手を掛けたまま抜き出して取り外すことができる。
【図面の簡単な説明】
【００２８】
【図１】（ａ）（ｂ）はそれぞれ本発明に係るステープラおよびロックリンクとともに示すステープルカートリッジの側面図である。
【図２】上記ステープルカートリッジとロックリンクとの関係を示す上からの斜視図である。
【図３】上記ステープルカートリッジの下からの斜視図である。
【図４】ステープラを後部上方から見た斜視図である。
【図５】上記ステープルカートリッジの側面図である。
【図６】（ａ）（ｂ）はそれぞれステープルカートリッジ装着時の状態を示す側面図である。
【図７】（ａ）（ｂ）はそれぞれステープルカートリッジ抜き出し時のロック解除状態を示す側面図である。
【図８】（ａ）（ｂ）はそれぞれステープルカートリッジ抜き出し時の状態を示す側面図である。
【図９】ステープルカートリッジの着脱機構の他の例の概要を示す側面図である。
【符号の説明】
【００２９】
ａ  被綴り用紙
１  ステープラ本体
２  ステープルカートリッジ
７  収納部
１５  ロックリンク
１８  ロックピン
１９  ノブ
２２  ロック解除リンク
【図１】
2006026792.tif 000003
【図２】
2006026792.tif 000004
【図３】
2006026792.tif 000005
【図４】
2006026792.tif 000006
【図５】
2006026792.tif 000007
【図６】
2006026792.tif 000008
【図７】
2006026792.tif 000009
【図８】
2006026792.tif 000010
【図９】
2006026792.tif 000011